(57)【要約】      （修正有）【課題】最適な明るさを設定して明るさの変化に対応して点灯でき、発光効率の高い状態の期間で使用できるようにする。【解決手段】照明装置は明るさ制御動作を行っているので点灯状態値と動作時間を演算処理し実質的な動作時間として累積する。カタログ等記載の寿命時間を１００％とした時に寿命時間後半の７０％時間点、８５％時間点、９５％時間点など複数の時間経過点を算出し表示させる事でいつ頃に寿命になるかを個々の照明装置で想定できる。毎回の点灯状態値を測定比較する事で蛍光灯交換を点灯状態値の差異として知る事ができ蛍光灯交換を自動判定し点灯時間累積タイマをリセットさせる。【選択図】図−２
2009187919.tif 000002
【特許請求の範囲】
【請求項１】
使用場所の明るさを検知して設定した照度になるように自動調整が行われる照明装置において点灯状態値を検出し、定格点灯状態に対する低減度合いを算出し低減率に合わせ動作時間を補正し実質的な寿命時間を求め累積し、カタログ、仕様書で規定される寿命時間を基準値とし累積時間の経過率を算出する。寿命となる１００％経過率に対し途中の経過状態を表示する事で使用者に寿命状態を知らせる装置に関する。
経過状態は例えば３段階とかの複数で設定する。
表示部は照明装置の見やすい場所に設置する。
【請求項２】
蛍光灯を点灯する毎に定格点灯状態値を測定し前回点灯時の値と比較し変化値が判定値を超えると蛍光灯管を取り替えられたと判断し時間累積タイマをリセットする。
【発明の詳細な説明】
【技術分野】
【０００１】高周波点灯する蛍光灯やパルス駆動するＬＥＤなどの照明装置で明るさ制御により定格灯状態より低い電力状態で点灯させる照明素子の寿命時間に関する。
【背景技術】
【０００２】蛍光灯の寿命時間は発光効率の低下率で決めている。一方、蛍光灯の寿命を確認し表示する方法としては明るさの変化、点灯回数の累積、点灯時間の累積、点灯異常の発生などで行っている。蛍光灯の効率は時間とともに低下していくので点灯異常が発生する前に取り替えることで消費電力の効率低下を抑える事ができ、省エネに貢献できる。【０００３】特許文献１：特開２００２−８８７９
特許文献２：特開２０００−２００９６１
【事例のもつ課題】
【０００４】文献１では単純に点灯時間を累積して最初に設定した寿命時間と近似、或いは等しくなったときに交換の指示を保安員が携帯するパソコンに表示される。従って蛍光灯の明るさを変化させて点灯する場合は
Ａ  実際の寿命時間が単純な時間累積とは異なってくる。
Ｂ  蛍光灯を複数本設置した事務所などでは寿命の間近の時間だけで表示されるので短い期間の中で連続して寿命表示がされ何度も交換する事になりコストがかかる。
Ｃ  蛍光灯を複数本設置した事務所などでは寿命指示が保守員のパソコンに表示されるので各蛍光灯の状況を常に監視しておく必要がある。
Ｄ  蛍光灯を取り替えた時に手動で寿命時間のリセットが必要になる。
文献２では管電圧あるいは管電流の異常を検出してからの交換なので直ぐに取替えが必要な状況になる。本数が多いと何回も取替え作業を行う事になる。
いずれの方法も寿命点の近傍で取り替えるので発光効率が低下した状態であり、もう少し早めに効率の高い時間で取り替えることができない。
【発明の開示】
【発明が解決しようとする課題】
【０００５】照明装置の省エネは最適な明るさを設定できる事であり、発光効率の高い状態で使用することである。
照明素子の寿命は発光効率の低下率で規定されている。
この為、第１の課題として使用時間を測定し寿命点を想定しているが明るさ制御する照明装置では定格点灯より少ない電力状態で使用する事が多く単純な動作時間の累積では実際の寿命時間に対し短い寿命経過時間を示す事になる。
第２の課題として多くの照明装置を設置した場合には個々の点灯時間がどれだけの時間経過状態になっているかをつかむ事が難しい。
第３の課題として寿命と判断して取り替えた時に点灯時間累積タイマをリセットしないと新しくした照明素子の動作時間を測定できない。
【課題を解決する為の手段】
【０００６】自動照度調整機能装置を設置した初期段階で定格点灯状態を作りこの時の輝度値或いは蛍光灯管電流値を測定し基準値として保管する
カタログ或いは仕様書に示される寿命時間を設定寿命時間として記憶させる。
【０００７】蛍光灯を明るさ制御し点灯させた時に点灯状態の輝度値或いは蛍光灯管電流値を測定し保管する。
【０００８】現在の点灯状態値と定格点灯状態値を使い演算処理を行うことで動作低減率を出す。
【０００９】明るさ制御点灯状態に入れる信号をもとに経過時間をカウントスタートする。
【００１０】別の動作状態へシフトした時（設定明るさの変更や消灯）にはそこまでの動作時間と動作低減率を演算し結果（時間）を保管する。
【００１１】別の新しい動作状態になると再度、タイマをスタートし点灯状態の測定値で演算処理して結果を保管する。前回の保管時間に累積される。
【００１２】経過比率としての寿命点表示は複数段階、例えば３区分とする。設定寿命寺間１００％に対し７０％，８５％，９５％になった時に色別の発光素子（ＬＥＤなど）で時間状態を表示させる。
３色３個のＬＥＤでも３色一体のＬＥＤでも良い。
【００１３】蛍光灯を取替えの時には壁のスイッチをオフにしてフロアの全部の蛍光灯を消灯状態にする。
対象の蛍光灯を取り替える。
壁のスイッチをオンにしてフロアの全部の蛍光灯を点灯する。
【００１４】毎回、定格点灯時の蛍光灯輝度を測定し基準値として保管し前回の点灯時の数値と比較する。判定値より変化が大きいときは蛍光灯管取り替えの判断がされ、同時に時間累積タイマのリセットを行う。
【発明の効果】
【００１５】各蛍光灯はいろんな明るさで点灯する。各点灯状態に合わせて動作時間を補正するので定格点灯状態を基本とする寿命時間に対し明るさをおさえた分だけ実際の寿命時間が長くなる。
（外部の明るさや設定明るさ値の違いでそれぞれの蛍光灯の累積寿命時間が変わってくる。点灯状態を加味した寿命時間を累積する事で現実の寿命時間に近い値が累積される。）
【００１６】寿命表示を各蛍光灯器具の見やすい場所に配置する事でフロアにいる人間の誰でも状態を簡単に認識する事ができる。
寿命の後半で経過時間を段階的に表示する。例えば７０％、８５％、９５％とすれば最初にどれかの蛍光灯で７０％経過状態の表示がされるとそろそろ寿命段階にきていることを誰もが認識する。
その後、７０％表示される蛍光灯本数が増加すると同時に７０％表示だったものが８５％、９５％の表示へと変化していく。９５％表示の蛍光灯が出てきた時に実際に取替え作業をおこなう事にすればよい。
この時にどこまでの段階のものを取り替えるかは使用者側の認識でよい。
９５％表示が出てくると他の蛍光灯の時間段階は関係なく全部取り替える方法、あるいは８５％表示と９５％表示をとりかえて他の表示の蛍光灯は残す、次に残した７０％表示の蛍光灯が９５％になったときに残り全部を取り替える方法などいくつかの取替えパターンが考えられる。これは使用者の考えにゆだねればよい。管の費用と取替えコスト、省エネ効果を秤にかければ良い事である。この方法の最大の効果は使用者にいくつかの選択技を与える事で省エネに貢献しているとの意識を持たせる事でありそれによる省エネ効果改善が期待できる。
【００１７】蛍光灯を取り替えると定格点灯状態が変化するのでこの変化量で判断し自動で時間累積タイマがクリアされるので手動リセットだと発生する恐れのあるリセット忘れをなくす事ができる。
【発明の形態】
【００１８】本発明は定格点灯状態値と明るさ調整点灯状態値の演算値をもとに寿命時間の修正を行う。
従って初期時点で定格点灯状態での動作を行わせる必要がある。
一般に明るさ自動調整方式の蛍光灯の点灯はスイッチを入れて定格点灯状態を経過して明るさ調整点灯状態に移行する方法が取られている。本発明でも最初に定格点灯させている。
本発明の特徴は明るさ設定制御信号が来ていても定格点灯状態をある期間行わせて点灯状態が安定化してからデータ取得し明るさ調整点灯に移行させている。この時間を設ける事が点灯初期時の変動を減少させる事になり点灯状態値のバラツキを少なくできる。
明るさ調整点灯に移行した時にタイマをスタートさせ、点灯終了時、或いは明るさ変更時にストップさせる。動作時間と点灯状態により補正した実経過時間としてメモリに順次累積する。
また定格点灯は蛍光灯管の側面で輝度を検知し、常に輝度が定格値になるような動作をする。
これによって蛍光灯が劣化すると同じ輝度を得るときの設定電圧、管電流、調光電圧が変化する。
新しい蛍光灯に取り替えると前回点灯時の状態値からの変化が大きいので変化を捉える事ができ、取り替えた事の判断ができる。これにより時間累積タイマをリセットできる。
図−１２に示す回路ブロック構成は上記の説明構成になっている。
（なおこの明るさ自動調整の装置は弊社が別に同時出願した照明用自動照度調整装置の構成である）
【図面の簡単な説明】
【００１９】
【図−１】：回路ブロック構成（寿命時間算出、表示部）
【図−２】：寿命状態表示フローチャート（設定寿命時間をもとに設定累積時間に到達したかの判断を行う）
【図−３】：時間経過で点灯状態値が変化するグラフ（Ｎ回目とＮ＋１回目の点灯状態値の変化は少ない）
【図−１】
2009187919.tif 000003
【図−２】
2009187919.tif 000004
【図−３】
2009187919.tif 000005